(57)【要約】【課題】メインダクトの異常昇温を防止すること。【解決手段】暖房コースが設定されたときには第１の後ヒータ運転処理と両ヒータ運転処理と第２の後ヒータ運転処理が順に実行される。第１の後ヒータ運転処理および両ヒータ運転処理のそれぞれでは空調ファンモータが最高速度で運転されており、温風がヒータ収納室５８から大きく弧を描きながらメインダクト３２の内部に吸引されるので、ヒータ収納室５８の前方でメインダクト３２の壁面に接触し難くなる。第２の後ヒータ運転処理では空調ファンモータ６５が最高速度より遅い速度で運転されており、温風がヒータ収納室５８から小さな弧を描きながらメインダクト３２の内部に吸引されるので、ヒータ収納室５８の前方でメインダクト３２の壁面に接触する。しかしながら、メインダクト３２のうちの温風の接触部分に近い前ヒータ６１が運転停止されているので、メインダクト３２が温風および前ヒータ６１の双方で加熱されることに基づいて異常昇温することが防止される。【選択図】図１
2009034189.tif 000002
【特許請求の範囲】
【請求項１】
温風を放出するための放出口が設けられた前板を有する中空状の外箱と、
前記外箱の内部に設けられ、洗濯物を洗濯するための水を受ける水受槽と、
前記水受槽の内部に設けられ、洗濯物が投入される洗濯槽と、
前端部に入口を有すると共に後端部に出口を有する筒状のメインダクトと、
前記メインダクトの前端部の入口を前記水受槽の内部空間に接続する前ダクトと、
前記メインダクトの後端部の出口を前記水受槽の内部空間に接続する後ダクトと、
前記前ダクトに前記前ダクトの入口および前記前ダクトの出口相互間に位置して設けられ、前記外箱の放出口に接続された接続口と、
前記前ダクトの接続口を閉鎖する閉鎖状態および前記前ダクトの接続口を開放する開放状態相互間で移動可能に設けられ、前記前ダクトの接続口を開放する開放状態で前記前ダクトの入口および前記前ダクトの出口相互間を遮断するように前記前ダクトの内部に進入すると共に前記前ダクトの接続口を閉鎖する閉鎖状態で前記前ダクトの入口および前記前ダクトの出口相互間を接続するように前記前ダクトの内部から退避するシャッタと、
前記シャッタを前記閉鎖状態および前記開放状態相互間で移動操作する駆動源と、
前記メインダクトに設けられ、一面が開口する凹状をなすものであって前記メインダクトの内部空間を前記メインダクトの外部空間に接続する吸込口が形成されたヒータ収納室と、
前記シャッタの閉鎖状態で運転されることに基づいて前記水受槽の内部の空気を前記前ダクトから前記メインダクトの内部に吸引すると共に前記水受槽の外部の空気を前記ヒータ収納室の吸込口から前記メインダクトの内部に吸引するものであって、前記メインダクトの内部に吸引した空気を前記後ダクトを通して前記水受槽の内部に放出する乾燥用送風機と、
前記シャッタの開放状態で運転されることに基づいて前記水受槽の外部の空気を前記ヒータ収納室の吸込口から前記メインダクトの内部に吸引するものであって、前記メインダクトの内部に吸引した空気を前記前ダクトの接続口から前記外箱の放出口を通して放出する空調用送風機と、
前記メインダクトの内部に前記ヒータ収納室より前側に位置して設けられ、圧縮機から冷媒が供給されるものであって前記乾燥用送風機の運転時に前記メインダクトの内部を前から後へ流れる空気を冷却する蒸発器と、
前記メインダクトの内部に前記ヒータ収納室より後側に位置して設けられ、前記圧縮機から冷媒が供給されるものであって前記乾燥用送風機の運転時に前記メインダクトの内部を前から後へ流れる空気を加熱する凝縮器と、
前記ヒータ収納室の内部に設けられ、前記乾燥用送風機および前記空調用送風機のそれぞれの運転時に前記ヒータ収納室の吸込口を通して前記メインダクトの内部に吸引される外気を前記ヒータ収納室の内部で加熱するＰＴＣヒータからなる前ヒータと、
前記ヒータ収納室の内部に前記前ヒータより後側に位置して設けられ、前記乾燥用送風機および前記空調用送風機のそれぞれの運転時に前記ヒータ収納室の吸込口を通して前記メインダクトの内部に吸引される外気を前記ヒータ収納室の内部で加熱するＰＴＣヒータからなる後ヒータと、
使用者が操作することが可能な操作子と、
前記外箱が設置された部屋内の温度である室温に応じた温度信号を出力する室温センサと、
前記操作子の操作内容に基づいて前記外箱の放出口から温風を放出する暖房コースを含む複数の運転コースのいずれかを設定し、前記駆動源と前記乾燥用送風機と前記空調用送風機と前記圧縮機と前記前ヒータと前記後ヒータのそれぞれを運転コースの設定結果に応じた態様で制御する制御回路を備え、
前記制御回路は、
前記暖房コースを設定したときには前記シャッタの開放状態で前記後ヒータおよび前記空調用送風機のそれぞれを運転し、前記後ヒータが前記前ヒータの運転停止状態で加熱した温風を前記外箱の放出口から放出する第１の後ヒータ運転処理を行い、
前記第１の後ヒータ運転処理を開始したときには前記第１の後ヒータ運転処理で前記後ヒータを運転開始してから前記後ヒータに流れる電流値が安定するように予め決められた待機時間が経過するまで待機する待機処理を行い、
前記待機処理を終えたときには前記シャッタの開放状態で前記前ヒータと前記後ヒータと前記空調用送風機のそれぞれを運転し、前記前ヒータおよび前記後ヒータの双方が加熱した温風を前記外箱の放出口から放出する両ヒータ運転処理を行い、
前記両ヒータ運転処理を開始したときには前記室温センサから出力される温度信号を予め決められた基準室温と比較する比較処理を行い、
前記比較処理で前記室温センサから出力される温度信号が前記基準室温に到達したことを判断したときには前記シャッタの開放状態で前記後ヒータを運転すると共に前記空調用送風機を前記第１の後ヒータ運転処理での速度および前記両ヒータ運転処理での速度のそれぞれに比べて遅い速度で運転し、前記後ヒータが前記前ヒータの運転停止状態で加熱した温風を前記外箱の放出口から放出する第２の後ヒータ運転処理を行い、
前記第２の後ヒータ運転処理では室温が高くなることに応じて前記空調用送風機の回転速度が遅くなるように前記室温センサから出力される温度信号に応じて前記空調用送風機の回転速度を制御するものであることを特徴とする洗濯機。
【請求項２】
前記後ダクトから前記水受槽の内部空間に放出される空気の温度である温風温度に応じた温度信号を出力する温風温度センサを備え、
前記制御回路は、
前記操作子の操作内容に基づいて前記暖房コースとは異なる特定の運転コースを設定したときには前記シャッタを閉鎖した状態で前記圧縮機および前記乾燥用送風機のそれぞれを運転し、前記水受槽の内部に前記蒸発器および前記凝縮器の双方によって生成された温風を前記洗濯槽の内部の洗濯物を乾かすための乾燥風として放出する乾燥処理を行うものであって、
前記乾燥処理を開始したときには前記後ヒータの運転停止状態で前記前ヒータを運転し、前記前ヒータが前記後ヒータの運転停止状態で加熱した温風を前記凝縮器に供給する第１の前ヒータ運転処理を行い、
前記第１の前ヒータ運転処理を開始したときには前記第１の前ヒータ運転処理で前記前ヒータを運転開始してから前記前ヒータに流れる電流値が安定するように予め決められた待機時間が経過するまで待機する待機処理を行い、
前記待機処理を終えたときには前記前ヒータおよび前記後ヒータのそれぞれを運転し、前記前ヒータおよび前記後ヒータの双方が加熱した温風を前記凝縮器に供給する両ヒータ運転処理を行い、
前記両ヒータ運転処理を開始したときには前記温風温度センサから出力される温度信号を予め決められた基準温度と比較する比較処理を行い、
前記比較処理で前記温風温度センサから出力される温度信号が前記基準温度に到達したことを判断したときには前記後ヒータの運転停止状態で前記前ヒータを運転し、前記前ヒータが前記後ヒータの運転停止状態で加熱した温風を前記凝縮器に供給する第２の前ヒータ運転処理を行うものであることを特徴とする請求項１に記載の洗濯機。
【発明の詳細な説明】
【技術分野】
【０００１】
本発明は洗濯槽内の洗濯物を乾かす乾燥機構としてヒートポンプを備えた洗濯機に関する。
【背景技術】
【０００２】
上記洗濯機には外箱の内部に水受槽を収納し、水受槽の内部に洗濯槽を収納した構成のものがある。この水受槽の下方には前後方向へ延びる合成樹脂製のメインダクトが固定されている。このメインダクトの前端部は前ダクトを介して水受槽の内部空間に接続され、メインダクトの後端部は後ダクトを介して水受槽の内部空間に接続されており、乾燥用送風機の運転時には水受槽の内部の空気が前ダクトからメインダクトの内部に吸引され、メインダクトの内部を前から後へ流れた後に後ダクトを通して水受槽の内部に戻される。このメインダクトの内部には蒸発器および凝縮器が前後方向に並べて収納されており、乾燥用送風機の運転時には水受槽の内部の空気が蒸発器によって冷却されることに基づいて除湿された後に凝縮器によって加熱されることに基づいて温風化され、水受槽の内部に洗濯物を乾かすための乾燥風として放出される。
【０００３】
上記洗濯機にはメインダクトのうち蒸発器および凝縮器相互間にヒータ収納室を設けた構成のものがある。このヒータ収納室は一面が開口する凹状をなすものであり、ヒータ収納室の壁面にはメインダクトの内部空間およびメインダクトの外部空間を相互に接続する吸込口が設けられている。この従来の洗濯機の場合には外箱の前板に放出口が設けられ、前ダクトに外箱の放出口に通じる接続口が設けられている。この前ダクトの接続口はシャッタによって開閉されるものであり、乾燥用送風機とは異なる空調用送風機がシャッタの開放状態で運転されたときには水受槽の外部からヒータ収納室の吸込口を通してメインダクトの内部に空気が吸引され、メインダクトの内部から前ダクトの接続口および外箱の放出口のそれぞれを順に通して放出される。このヒータ収納室の内部には前ヒータおよび後ヒータが前後方向に相互に並べて収納されている。これら前ヒータおよび後ヒータのそれぞれはＰＴＣヒータからなるものであり、空調用送風機をシャッタの開放状態で前ヒータおよび後ヒータのそれぞれと共に運転する暖房コースが開始されたときには前ヒータおよび後ヒータのそれぞれが設定温度に自己制御され、外箱の放出口から前ヒータおよび後ヒータのそれぞれによって加熱された空調用の温風が放出される。
【特許文献１】特開２００６−２６３６３２号公報
【特許文献２】特開平１０−１２７３８３号公報
【特許文献３】特開平３−３１８９８８号公報
【発明の開示】
【発明が解決しようとする課題】
【０００４】
上記従来の洗濯機の場合にはヒータ収納室の吸込口からメインダクトの内部に吸引された温風がヒータ収納室の前方でメインダクトの壁面に接触するので、温風からメインダクトの壁面に熱が局部的に伝達され易くなる。しかも、メインダクトのうち温風の接触部分が前ヒータおよび後ヒータのそれぞれからの熱で加熱される。このため、メインダクトの壁面が局部的に異常昇温する虞れがあるので、メインダクトを熱で溶解し難い耐熱温度が高い樹脂材料に変更する必要があった。
【０００５】
本発明は上記事情に鑑みてなされたものであり、メインダクトの壁面が異常昇温することを防止することができる洗濯機を提供することにある。
【課題を解決するための手段】
【０００６】
請求項１記載の洗濯機は、温風を放出するための放出口が設けられた前板を有する中空状の外箱と、前記外箱の内部に設けられ洗濯物を洗濯するための水を受ける水受槽と、前記水受槽の内部に設けられ洗濯物が投入される洗濯槽と、前端部に入口を有すると共に後端部に出口を有する筒状のメインダクトと、前記メインダクトの前端部の入口を前記水受槽の内部空間に接続する前ダクトと、前記メインダクトの後端部の出口を前記水受槽の内部空間に接続する後ダクトと、前記前ダクトに前記前ダクトの入口および前記前ダクトの出口相互間に位置して設けられ前記外箱の放出口に接続された接続口と、前記前ダクトの接続口を閉鎖する閉鎖状態および前記前ダクトの接続口を開放する開放状態相互間で移動可能に設けられ前記前ダクトの接続口を開放する開放状態で前記前ダクトの入口および前記前ダクトの出口相互間を遮断するように前記前ダクトの内部に進入すると共に前記前ダクトの接続口を閉鎖する閉鎖状態で前記前ダクトの入口および前記前ダクトの出口相互間を接続するように前記前ダクトの内部から退避するシャッタと、前記シャッタを前記閉鎖状態および前記開放状態相互間で移動操作する駆動源と、前記メインダクトに設けられ一面が開口する凹状をなすものであって前記メインダクトの内部空間を前記メインダクトの外部空間に接続する吸込口が形成されたヒータ収納室と、前記シャッタの閉鎖状態で運転されることに基づいて前記水受槽の内部の空気を前記前ダクトから前記メインダクトの内部に吸引すると共に前記水受槽の外部の空気を前記ヒータ収納室の吸込口から前記メインダクトの内部に吸引するものであって前記メインダクトの内部に吸引した空気を前記後ダクトを通して前記水受槽の内部に放出する乾燥用送風機と、前記シャッタの開放状態で運転されることに基づいて前記水受槽の外部の空気を前記ヒータ収納室の吸込口から前記メインダクトの内部に吸引するものであって前記メインダクトの内部に吸引した空気を前記前ダクトの接続口から前記外箱の放出口を通して放出する空調用送風機と、前記メインダクトの内部に前記ヒータ収納室より前側に位置して設けられ圧縮機から冷媒が供給されるものであって前記乾燥用送風機の運転時に前記メインダクトの内部を前から後へ流れる空気を冷却する蒸発器と、前記メインダクトの内部に前記ヒータ収納室より後側に位置して設けられ前記圧縮機から冷媒が供給されるものであって前記乾燥用送風機の運転時に前記メインダクトの内部を前から後へ流れる空気を加熱する凝縮器と、前記ヒータ収納室の内部に設けられ前記乾燥用送風機および前記空調用送風機のそれぞれの運転時に前記ヒータ収納室の吸込口を通して前記メインダクトの内部に吸引される外気を前記ヒータ収納室の内部で加熱するＰＴＣヒータからなる前ヒータと、前記ヒータ収納室の内部に前記前ヒータより後側に位置して設けられ前記乾燥用送風機および前記空調用送風機のそれぞれの運転時に前記ヒータ収納室の吸込口を通して前記メインダクトの内部に吸引される外気を前記ヒータ収納室の内部で加熱するＰＴＣヒータからなる後ヒータと、使用者が操作することが可能な操作子と、前記外箱が設置された部屋内の温度である室温に応じた温度信号を出力する室温センサと、前記操作子の操作内容に基づいて前記外箱の放出口から温風を放出する暖房コースを含む複数の運転コースのいずれかを設定し前記駆動源と前記乾燥用送風機と前記空調用送風機と前記圧縮機と前記前ヒータと前記後ヒータのそれぞれを運転コースの設定結果に応じた態様で制御する制御回路を備え、前記制御回路は前記暖房コースを設定したときには前記シャッタの開放状態で前記後ヒータおよび前記空調用送風機のそれぞれを運転し前記後ヒータが前記前ヒータの運転停止状態で加熱した温風を前記外箱の放出口から放出する第１の後ヒータ運転処理を行い、前記第１の後ヒータ運転処理を開始したときには前記第１の後ヒータ運転処理で前記後ヒータを運転開始してから前記後ヒータに流れる電流値が安定するように予め決められた待機時間が経過するまで待機する待機処理を行い、前記待機処理を終えたときには前記シャッタの開放状態で前記前ヒータと前記後ヒータと前記空調用送風機のそれぞれを運転し前記前ヒータおよび前記後ヒータの双方が加熱した温風を前記外箱の放出口から放出する両ヒータ運転処理を行い、前記両ヒータ運転処理を開始したときには前記室温センサから出力される温度信号を予め決められた基準室温と比較する比較処理を行い、前記比較処理で前記室温センサから出力される温度信号が前記基準室温に到達したことを判断したときには前記シャッタの開放状態で前記後ヒータを運転すると共に前記空調用送風機を前記第１の後ヒータ運転処理での速度および前記両ヒータ運転処理での速度のそれぞれに比べて遅い速度で運転し前記後ヒータが前記前ヒータの運転停止状態で加熱した温風を前記外箱の放出口から放出する第２の後ヒータ運転処理を行い、前記第２の後ヒータ運転処理では室温が高くなることに応じて前記空調用送風機の回転速度が遅くなるように前記室温センサから出力される温度信号に応じて前記空調用送風機の回転速度を制御するものであるところに特徴を有する。
【発明の効果】
【０００７】
暖房コースが設定されたときには第１の後ヒータ運転処理と待機処理と両ヒータ運転処理と比較処理と第２の後ヒータ運転処理のそれぞれが行われる。第１の後ヒータ運転処理はシャッタの開放状態で後ヒータを単独運転する処理であり、待機処理は第１の後ヒータ運転処理で後ヒータを運転開始してから待機時間が経過するまで待機する処理である。この待機時間は後ヒータに流れる電流値が安定するように予め決められたものであり、第１の後ヒータ運転処理が開始されてから待機処理が終了するまでの期間内は前ヒータおよび後ヒータのそれぞれに突入電流が同時に流れることに基づいて過電流が発生することが防止される。両ヒータ運転処理はシャッタの開放状態で前ヒータおよび後ヒータのそれぞれを運転する処理であり、第１の後ヒータ運転処理および両ヒータ運転処理のそれぞれでは温風がヒータ収納室の吸込口から大きく弧を描きながらメインダクトの内部に吸引される。このため、温風がヒータ収納室の前方でメインダクトの壁面に接触し難くなるので、メインダクトの壁面が温風によって局部的に加熱されることが抑えられる。
【０００８】
比較処理は室温センサから出力される温度信号を基準室温と比較する処理であり、温度信号の検出結果が基準室温に到達したときには第２の後ヒータ運転処理が開始される。この第２の後ヒータ運転処理はシャッタの開放状態で後ヒータを単独運転するものであり、第２の後ヒータ運転処理では室温が高くなることに応じて空調用送風機の回転速度が遅くなるように空調用送風機の回転速度が制御される。この第２の後ヒータ運転処理では空調用送風機が第１の後ヒータ運転処理での速度および両ヒータ運転処理での速度のそれぞれに比べて遅い速度で運転され、温風がヒータ収納室の吸込口から小さな弧を描きながらメインダクトの内部に吸引されることに基づいてヒータ収納室の前方でメインダクトの壁面に接触する。しかしながら、前ヒータおよび後ヒータのうち温風の接触部分に近い前ヒータが運転停止されているので、前ヒータおよび後ヒータのうち温風の接触部分に遠い後ヒータのみから温風の接触部分に熱が伝達される。このため、メインダクトのうち温風の接触部分に伝達される熱量が少なくなるので、メインダクトの壁面が局部的に異常昇温することが防止される。
【発明を実施するための最良の形態】
【０００９】
［実施例１］
外箱１は、図１に示すように、底板２と左方の側板３と右方の側板３と前板４と天板５と後板６を相互に組合せることから構成されたものであり、中空な箱状をなしている。この外箱１の底板２には複数のダンパ７が固定されており、複数のダンパ７のそれぞれの上端部には共通の水受槽８が固定されている。これら複数のダンパ７のそれぞれはコイルスプリングおよび油圧シリンダの双方を有するものであり、水受槽８はダンパ７のバネ力および油圧力の双方で制振状態および緩衝状態のそれぞれに支持されている。この水受槽８は後面が閉鎖された有底な円筒状をなすものであり、軸心線ＣＬが前から後へ向って下降する傾斜状態となるように配置されている。この水受槽８の後板には水受槽８の外部に位置してドラムモータ９のステータが固定されている。このドラムモータ９は速度制御可能なＤＣブラシレスモータからなるものであり、ドラムモータ９の回転軸は水受槽８の内部に突出している。このドラムモータ９は洗濯モータに相当するものである。
【００１０】
ドラムモータ９の回転軸には、図１に示すように、ドラム１０が回転不能に固定されている。このドラム１０は洗濯物が投入される洗濯槽に相当するものであり、ドラムモータ９の運転状態ではドラムモータ９の回転軸と一体的に回転する。このドラム１０は後面が閉鎖された有底な円筒状をなすものであり、水受槽８の内部に水受槽８に対して同心状に収納されている。このドラム１０には複数の貫通孔１１が形成されており、ドラム１０の内部空間は複数の貫通孔１１のそれぞれを介して水受槽８の内部空間に接続されている。このドラム１０にはドラム１０の内部に突出する複数のバッフル１２が固定されている。これら複数のバッフル１２のそれぞれはドラム１０が回転することに基づいて円周方向へ移動するものであり、ドラム１０内に投入された洗濯物は複数のバッフル１２のそれぞれに引掛かりながら円周方向へ移動した後に重力で落下することに基づいて撹拌される。
【００１１】
ドラム１０の前端部には、図１に示すように、ドラム前板１３が固定され、水受槽８の前端部には槽前板１４が固定されている。これらドラム前板１３および槽前板１４のそれぞれは水受槽８に対して同心な円環状をなすものであり、外箱１の前板４にはドラム前板１３および槽前板１４のそれぞれの内部空間に前方から対向する貫通孔状の出入口１５が形成されている。この外箱１の前板４には扉１６が装着されている。この扉１６は出入口１５を閉鎖する閉鎖状態および出入口１５を開放する開放状態相互間で移動可能にされたものであり、洗濯物は扉１６の開放状態でドラム１０の内部に出入口１５と槽前板１４の内部空間とドラム前板１３の内部空間のそれぞれを順に通して投入され、ドラム１０の内部からドラム前板１３の内部空間と槽前板１４の内部空間と出入口１５のそれぞれを順に通して取出される。この扉１６は透明なガラス製の窓および窓を取囲む窓枠を有するものであり、窓枠の後方には窓枠を取囲む筒状のベローズ１７が配置されている。このベローズ１７は槽前板１４に固定されたものであり、扉１６の閉鎖状態ではベローズ１７が扉１６の窓枠に接触することに基づいて水受槽８および扉１６相互間を気密状態に閉塞する。
【００１２】
外箱１の内部には、図１に示すように、給水弁１８が収納されている。この給水弁１８は入口と注水用出口と散水用出口を有するものであり、給水弁１８の入口は水道の蛇口に接続されている。この給水弁１８は注水用ソレノイド１９（図３参照）および散水用ソレノイド２０（図３参照）のそれぞれを駆動源として有するものであり、注水用出口は注水用ソレノイド１９が通断電されることに基づいて開放状態および閉鎖状態相互間で切換えられ、散水用出口は散水用ソレノイド２０が通断電されることに基づいて開放状態および閉鎖状態相互間で切換えられる。
【００１３】
給水弁１８の注水用出口は、図１に示すように、注水ケース２１に接続されており、給水弁１８の注水用出口が開放された開放状態では水道水が注水用出口を通して注水ケース２１内に注入される。この注水ケース２１は外箱１の内部に水受槽８より高所に位置して収納されたものであり、ホースからなる注水口を備えている。この注水口は水受槽８の内部空間に接続されており、給水弁１８の注水用出口から注水ケース２１内に注入された水道水は注水口から水受槽８内に注入される。この注水ケース２１の内部には水道水の流通経路の途中に位置して洗剤ケース２２が収納されている。この洗剤ケース２２は洗剤が投入されるものであり、洗剤ケース２２内の洗剤は注水ケース２１内を流通する水道水と共に注水ケース２１の注水口から水受槽８内に注入される。この洗剤ケース２２は使用者が前方から注水ケース２１内に対して出し入れすることが可能なものであり、洗剤は洗剤ケース２２の取出し状態で洗剤ケース２２内に投入される。
【００１４】
水受槽８には、図１に示すように、最底部に位置して排水管２３の上端部が接続されており、排水管２３には排水弁２４が介在されている。この排水弁２４は排水弁モータ２５（図３参照）を駆動源とするものであり、排水弁モータ２５の回転量に応じて排水管２３を開放する開放状態および排水管２３を閉鎖する閉鎖状態相互間で切換えられる。この排水弁２４の閉鎖状態では注水ケース２１内から水受槽８内に注入された水道水が水受槽８内に貯留され、排水弁２４の開放状態では水受槽８内に貯留された水道水が排水管２３を通して水受槽８の外部に排出される。
【００１５】
外箱１の台板２には、図１に示すように、合成樹脂製のユニットケース２６が固定されている。このユニットケース２６は上面が開口するものであり、底板２７と前板２８と後板２９と左方の側板３０と右方の側板３０を有している。このユニットケース２６には合成樹脂製の水平なユニットカバー３１が固定されている。このユニットカバー３１はユニットケース２６の上面を塞ぐものであり、ユニットケース２６の底板２７と前板２８と後板２９と左方の側板３０と右方の側板３０とユニットカバー３１から前後方向へ延びる水平な四角筒状のメインダクト３２が構成されている。ユニットケース２６には後板２９に位置して貫通孔状の出口３３が形成され、前板２８に位置して貫通孔状の入口３４が形成されている。この前板２８の入口３４には前ダクト３５の後端部が接続されており、前ダクト３５には前後方向へ延びる筒状の接続口３６が固定されている。この前ダクト３５は入口３４を取囲む筒状をなすものであり、前ダクト３５の上端部は前ホース３７を介して水受槽８の内部空間に接続されている。
【００１６】
前ダクト３５には、図１に示すように、板状のシャッタ３８が左右方向へ延びる水平な軸３９を中心に回動可能に装着されている。このシャッタ３８は接続口３６を気密状態に閉鎖する閉鎖状態（実線参照）および接続口３６を開放する開放状態（二点鎖線参照）相互間で軸３９を中心に回動可能にされたものであり、シャッタ３８の開放状態では前ダクト３５の内部空間にシャッタ３８が水平に介在されることに基づいて前ダクト３５の出口である後端面および前ダクト３５の入口である上端面が相互に遮断され、シャッタ３８の閉鎖状態ではシャッタ３８が前ダクト３５の内部空間から退避することに基づいて前ダクト３５の後端面および前ダクト３５の上端面が相互に接続される。このシャッタ３８はシャッタソレノイド４０（図３参照）のプランジャに連結されている。このシャッタソレノイド４０は直動形の電磁ソレノイドからなるものであり、シャッタ３８はシャッタソレノイド４０が通断電されることに基づいて閉鎖状態および開放状態相互間で回動操作される。このシャッタソレノイド４０はシャッタ３８の駆動源に相当するものである。
【００１７】
ユニットケース２６の後板２９には、図１に示すように、ファンケーシング４１が固定されている。このファンケーシング４１には貫通孔状の吸気口が形成されており、ファンケーシング４１の吸気口は後板２９の出口３３に接続されている。このファンケーシング４１には乾燥ファンモータ４２が固定されている。この乾燥ファンモータ４２はファンケーシング４１の内部に突出する回転軸を有するものであり、乾燥ファンモータ４２の回転軸にはファンケーシング４１の内部に位置して乾燥ファン４３が回転不能に固定されている。この乾燥ファン４３は軸方向から空気を吸込んで径方向に吐出する遠心式のものであり、ファンケーシング４１には乾燥ファン４３に径方向から対向する円筒状の排気口が形成されている。
【００１８】
ファンケーシング４１の排気口には、図１に示すように、後ダクト４４の下端部が接続されている。この後ダクト４４の上端部は水受槽８の後板を介して水受槽８の内部空間に接続されており、乾燥ファンモータ４２がシャッタ３８の閉鎖状態で運転されたときには乾燥ファン４３が予め決められた方向へ回転することに基づいて水受槽８内の空気が前ホース３７および前ダクト３５のそれぞれを順に通して入口３４からメインダクト３２内に吸引され、メインダクト３２に沿って前から後へ直線的に流れる。この空気はメインダクト３２の出口３３から吸気口を通してファンケーシング４１内に吸引され、ファンケーシング４１の排気口から後ダクト４４を通して水受槽８内に戻される。即ち、前ホース３７と前ダクト３５とメインダクト３２とファンケーシング４１と後ダクト４４は水受槽８の内部空間を始点および終点のそれぞれとする循環風路を構成するものであり、ファンケーシング４１と乾燥ファンモータ４２と乾燥ファン４３は水受槽８内の空気を循環風路に沿って循環させる乾燥用送風機を構成するものである。
【００１９】
前ダクト３５の上端部には、図１に示すように、水平な板状のリントフィルタ４５が装着されている。このリントフィルタ４５は空気が通過可能であって糸屑等の異物が通過不能なものであり、循環風路内を循環する風から糸屑等の異物を補足する。メインダクト３２の内部にはエバポレータ４６およびコンデンサ４７のそれぞれが前後方向に並べて収納されている。これらエバポレータ４６およびコンデンサ４７のそれぞれは蛇行状に曲折された冷媒管および冷媒管の外周面に接合された複数のフィンを有するものであり、エバポレータ４６の冷媒管およびコンデンサ４７の冷媒管は相互に接続されている。エバポレータ４６は冷媒を蒸発させる蒸発器に相当するものであり、コンデンサ４７は冷媒を凝縮させる凝縮器に相当するものであり、エバポレータ４６はコンデンサ４７に比べて乾燥ファン４３が生成する風の流れの上流側に配置されている。
【００２０】
外箱１の内部には、図１に示すように、圧縮機に相当するコンプレッサ４８が固定されている。このコンプレッサ４８はコンプモータ４９（図３参照）を駆動源とするものであり、冷媒を吐出する吐出口および冷媒を吸込む吸込口を有している。このコンプレッサ４８の吐出口にはコンデンサ４７の冷媒管が接続され、コンプレッサ４８の吸込口にはエバポレータ４６の冷媒管が接続されており、コンプモータ４９の運転状態ではコンプレッサ４８の吐出口から吐出された冷媒がコンデンサ４７の冷媒管およびエバポレータ４６の冷媒管のそれぞれを順に通してコンプレッサ４８の吸込口に戻される。
【００２１】
エバポレータ４６とコンデンサ４７とコンプレッサ４８は循環風路に沿って循環する空気を低湿度で高温度な乾燥風に変換するヒートポンプを構成するものであり、ドラム１０内に水分を含んだ未乾燥の洗濯物が存在しているときにはヒートポンプから未乾燥の洗濯物に乾燥風が吹き付けられることに基づいて未乾燥の洗濯物が乾かされる。即ち、シャッタ３８の閉鎖状態で乾燥ファンモータ４２およびコンプモータ４９のそれぞれが運転されたときには水受槽８内から高湿度の空気がメインダクト３２内に吸引される。この高湿度の空気はエバポレータ４６の複数のフィンのそれぞれに接触することに基づいて冷却され、水分が除去される。この低温度の空気はコンデンサ４７の複数のフィンのそれぞれに接触することに基づいて加熱され、水受槽８内に低湿度な温風として注入される。
【００２２】
ユニットケース２６の底板２７には、図１に示すように、上面が開口する凹状の貯水部５０が形成されている。この貯水部５０は底板２７のうち貯水部５０の残り部分に比べて下方へ突出するものであり、底板２７のうち貯水部５０の残り部分は貯水部５０に向うに従って下降する傾斜状をなしている。ユニットケース２６の内部にはタンクカバー５１が収納されており、底板２７の貯水部５０およびタンクカバー５１相互間には空間状の貯水室が形成され、底板２７の傾斜状の残り部分およびタンクカバー５１相互間には空間状の排水室が形成されている。
【００２３】
ユニットカバー３１には、図１に示すように、コンデンサ４７の上方に位置して散水室５２が形成されている。この散水室５２は上面が開口する凹状をなすものであり、ユニットカバー３１には散水室５２の底板に位置して散水口５３が形成されている。この散水口はコンデンサ４７に上方から冷却水を浴びせるものであり、複数の貫通孔から構成されている。ユニットカバー３１には散水プレート５４が固定されている。この散水プレート５４は散水室５２の上面を塞ぐものであり、散水プレート５２にはノズル５５が固定されている。このノズル５５は散水ホース５６を介して給水弁１８の散水用出口に接続されており、給水弁１８の散水用出口が開放された状態では水道水が散水ホース５６およびノズル５５のそれぞれを順に通して散水室５２内に注入され、散水室５２の散水口５３からコンデンサ４７に冷却水として浴びせられる。
【００２４】
タンクカバー３１には、図１に示すように、エバポレータ４６の下方に位置して貫通孔状の結露水排出口５４が形成されており、エバポレータ４６の複数のフィンのそれぞれに付着した結露水は結露水排出口５４から底板２７の貯水部５０内に直接的に落下し、貯水部５０内に貯留される。この結露水排出口５４にはフィルタが装着されている。このフィルタは水が流通可能であって埃等の異物が流通不能なものであり、結露水はフィルタの網目を通過して貯水部５０内に落下し、埃等の異物はフィルタの網目を通過することなくフィルタによって捕捉される。
【００２５】
タンクカバー３１には、図１に示すように、コンデンサ４７の下方に位置して貫通孔状の冷却水排出口５５が形成されており、散水室５２からコンデンサ４７に浴びせられた冷却水は冷却水排出口５５を通ってユニットケース２６の底板２７上に落下する。この冷却水は底板２７の傾斜に沿って貯水部５０内に流れ込み、貯水部５０内に貯留される。この冷却水排出口５５にはフィルタが装着されている。このフィルタは水が流通可能であって埃等の異物が流通不能なものであり、冷却水はフィルタの網目を通過して底板２７上に落下し、埃等の異物はフィルタの網目を通過することなくフィルタによって捕捉される。
【００２６】
ユニットケース２６には、図１に示すように、ドレンポンプ５６が固定されている。このドレンポンプ５６はポンプモータ５７（図３参照）を駆動源とするものであり、水を吸込む吸込口および水を吐出する吐出口を有している。このドレンポンプ５６の吸込口はユニットケース２６の貯水部５０の内部に接続され、ドレンポンプ５６の吐出口は外箱１の外部に通じており、貯水部５０内の結露水および冷却水のそれぞれはポンプモータ５７が運転されることに基づいてドレンポンプ５６の吸込口から吐出口を通して外箱１の外部に排出される。
【００２７】
ユニットカバー３１には、図２に示すように、ヒータ収納室５８が形成されている。このヒータ収納室５８はエバポレータ４６およびコンデンサ４７相互間に配置されたものであり、上面が開口する凹状をなしている。このヒータ収納室５８の底板には、図１に示すように、貫通孔状の吸込口５９が形成されており、乾燥ファンモータ４２の運転状態では水受槽８の外部の空気がヒータ収納室５８の上面から吸込口５９を通してメインダクト３２内に吸引される。このヒータ収納室５８の上方には水平な風向板６０が配置されている。この風向板６０はユニットカバー３１に固定されたものであり、乾燥ファンモータ４２の運転時に水受槽８の外部からヒータ収納室５８を通してメインダクト３２内に垂直方向に外気が吸引されることを規制する。
【００２８】
ヒータ収納室５８内には、図２に示すように、前ヒータ６１および後ヒータ６２のそれぞれが前後方向に相互に並べて収納されている。これら前ヒータ６１および後ヒータ６２のそれぞれは水受槽８の外部からメインダクト３２内に吸引される空気をヒータ収納室５８内で加熱することに基づいて温風化するものであり、ＰＴＣヒータから構成されている。これら前ヒータ６１および後ヒータ６２のそれぞれは自己温度制御機能を有するものであり、前ヒータ６１および後ヒータ６２のそれぞれの発熱温度（キュリー温度）は相互に同一に設定されている。
【００２９】
外箱１の内部には、図１に示すように、前端部に位置してファンケーシング６３が固定されている。このファンケーシング６３は左右方向へ延びる円筒状をなすものであり、ファンケーシング６３には後方へ開口する吸気口および上方へ開口する排気口のそれぞれが形成されている。このファンケーシング６３の吸気口は前ダクト３５の接続口３６に接続されており、シャッタ３８の開放状態ではファンケーシング６３およびメインダクト３２相互間が接続口３６を介して接続され、シャッタ３８の閉鎖状態ではファンケーシング６３およびメインダクト３２相互間が遮断される。
【００３０】
ファンケーシング６３の内部には、図１に示すように、左右方向へ延びる空調ファン６４が収納されている。この空調ファン６４は羽根車を貫流して空気を吸込む横流ファンからなるものであり、空調ファンモータ６５（図３参照）の回転軸に連結されている。この空調ファンモータ６５は速度制御可能なＤＣブラシレスモータからなるものであり、シャッタ３８の開放状態で空調ファンモータ６５が運転されることに基づいて空調ファン６４が予め決められた方向へ回転操作されたときには水受槽８の外部の空気がヒータ収納室５８の上面から吸込口５９を通してメインダクト３２内に吸引される。この外気はメインダクト３２に沿って後から前へ流れ、前ダクト３５の接続口３６からファンケーシング６３の排気口を通して排出される。
【００３１】
ファンケーシング６３と空調ファン６４と空調ファンモータ６５は温度調整された調整空気を送風する空調用送風機を構成するものである。即ち、空調ファンモータ６５がシャッタ３８の開放状態でコンプモータ４９と共に運転されたときには水受槽８の外部の空気がメインダクト３２内でエバポレータ４６に接触することに基づいて冷却され、ファンケーシング６３の排気口から調整空気として冷風が排出される。この空調ファンモータ６５がシャッタ３８の開放状態で前ヒータ６１および後ヒータ６２のそれぞれと共に運転されたときには水受槽８の外部の空気がヒータ収納室５８内で前ヒータ６１および後ヒータ６２のそれぞれに接触することに基づいて加熱され、ファンケーシング６３の排気口から調整空気として温風が排出される。
【００３２】
外箱１の内部には、図１に示すように、左右方向へ延びる半円筒状のルーバー６６が収納されており、外箱１の前板４にはルーバー６６の前方に位置して貫通孔状の放出口６７が形成されている。このルーバー６６はファンケーシング６３の排気口から排出される調整空気を放出口６７に向けて案内するものであり、ファンケーシング６３の排気口に対向配置されている。このルーバー６６は左右方向へ延びる軸６８を中心に回動可能にされたものであり、ルーバー６６の角度は使用者がルーバー６６を手動で回動操作することに基づいて調節され、調整空気はルーバー６６に案内されることに基づいて放出口６７からルーバー６６の角度に応じた方向へ放出される。
【００３３】
外箱１の前板４には、図１に示すように、上端部に位置して操作パネル６９が固定されており、操作パネル６９には運転コーススイッチ７０と冷房スイッチ７１と暖房スイッチ７２とスタート／停止スイッチ７３（いずれも図３参照）のそれぞれが前方から操作可能に装着されている。これら運転コーススイッチ７０〜スタート／停止スイッチ７３の４部材は操作子を構成するものである。これら運転コーススイッチ７０〜スタート／停止スイッチ７３のそれぞれは自己復帰形のプッシュスイッチからなるものであり、図３に示すように、制御回路７４に接続されている。この制御回路７４は外箱１の内部に収納されたものであり、マイクロコンピュータを主体に構成されている。この制御回路７４はＣＰＵとＲＯＭとＲＡＭを有するものであり、ＲＯＭには運転制御プログラムおよび運転制御データのそれぞれが予め記録されている。
【００３４】
制御回路７４には、図３に示すように、モータ駆動回路７５とソレノイド駆動回路７６とソレノイド駆動回路７７とモータ駆動回路７８が接続されている。モータ駆動回路７５はドラムモータ９に駆動電源を印加するものであり、制御回路７４のＣＰＵはモータ駆動回路７５を制御することに基づいてドラムモータ９を正方向および逆方向のそれぞれに可変的な速度で回転操作する。ソレノイド駆動回路７６は注水用ソレノイド１９に駆動電源を印加するものであり、制御回路７４のＣＰＵはソレノイド駆動回路７６を制御することに基づいて給水弁１８の注水用出口を開閉操作する。ソレノイド駆動回路７７は散水用ソレノイド２０に駆動電源を印加するものであり、制御回路７４のＣＰＵはソレノイド駆動回路７７を制御することに基づいて給水弁１８の散水用出口を開閉操作する。モータ駆動回路７８は排水弁モータ２５に駆動電源を印加するものであり、制御回路７４のＣＰＵはモータ駆動回路７８を制御することに基づいて排水弁２４を開閉操作する。
【００３５】
制御回路７４には、図３に示すように、ソレノイド駆動回路７９とモータ駆動回路８０とモータ駆動回路８１とモータ駆動回路８２が接続されている。ソレノイド駆動回路７９はシャッタソレノイド４０に駆動電源を印加するものであり、制御回路７４のＣＰＵはソレノイド駆動回路７９を制御することに基づいてシャッタ３８を開閉操作する。モータ駆動回路８０は乾燥ファンモータ４２に駆動電源を印加するものであり、制御回路７４のＣＰＵはモータ駆動回路８０を制御することに基づいて乾燥ファンモータ４２を一定方向へ一定速度で回転操作する。モータ駆動回路８１はコンプモータ４９に駆動電源を印加するものであり、制御回路７４のＣＰＵはモータ駆動回路８１を制御することに基づいてコンプモータ４９を一定方向へ一定速度で回転操作する。モータ駆動回路８２はポンプモータ５７に駆動電源を印加するものであり、制御回路７４のＣＰＵはモータ駆動回路８２を制御することに基づいてポンプモータ５７を一定方向へ一定速度で回転操作する。
【００３６】
制御回路７４には、図３に示すように、ヒータ駆動回路８３とヒータ駆動回路８４とモータ駆動回路８５が接続されている。ヒータ駆動回路８３は前ヒータ６１に駆動電源を印加するものであり、制御回路７４のＣＰＵはヒータ駆動回路８３を制御することに基づいて前ヒータ６１をオンオフする。ヒータ駆動回路８４は後ヒータ６２に駆動電源を印加するものであり、制御回路７４のＣＰＵはヒータ駆動回路８４を制御することに基づいて後ヒータ６２をオンオフする。モータ駆動回路８５は空調ファンモータ６５に駆動電源を印加するものであり、制御回路７４のＣＰＵはモータ駆動回路８５を制御することに基づいて空調ファンモータ６５を予め決められた一定方向へ可変的な速度で回転操作する。
【００３７】
制御回路７４には、図３に示すように、速度センサ８６と速度センサ８７と圧力センサ８８が接続されている。速度センサ８６はドラムモータ９のロータマグネットを検出して検出信号を出力するホール素子からなるものであり、制御回路７４のＣＰＵは速度センサ８６から出力される検出信号に基づいてドラム１０の回転速度を検出する。速度センサ８７は空調ファンモータ６５のロータマグネットを検出して検出信号を出力するホール素子からなるものであり、制御回路７４のＣＰＵは速度センサ８７から出力される検出信号に基づいて空調ファンモータ６５の回転速度を検出する。圧力センサ８８は水受槽８内の圧力に応じた圧力信号を出力するものであり、制御回路７４のＣＰＵは圧力センサ８８から出力される圧力信号に基づいて水受槽８内に貯留された水道水の水位を検出する。
【００３８】
制御回路７４には、図３に示すように、温風温度センサ８９および室温センサ９０が接続されている。温風温度センサ８９は後ダクト４４の内部に収納されたサーミスタからなるものであり、制御回路７４のＣＰＵは温風温度センサ８９から出力される温風温度信号に基づいて後ダクト４４から水受槽８内に吐出される温風の温度であるドラム入口温度を検出する。室温センサ９０は外箱１の前板４に固定されたサーミスタからなるものであり、制御回路７４のＣＰＵは室温センサ９０から出力される室温信号に基づいて外箱１が設置された部屋の温度を検出する。
【００３９】
制御回路７４のＣＰＵは運転コーススイッチ７０が操作されたことを判断すると、運転コーススイッチ７０の操作内容に応じて洗濯用の運転コースを設定する。この運転コースの設定状態でスタート／停止スイッチ７３が操作されたことを判断したときには運転コースの設定結果に応じた運転制御プログラムを設定し、運転制御プログラムの設定結果を実行する。この制御回路７４のＲＯＭには運転制御データとして標準コースと冷房コースと暖房コースのそれぞれを含む複数の運転コースが予め記録されており、ＣＰＵは複数の運転コースのうちから運転コーススイッチ７０の操作内容に応じたものを選択することで運転コースを設定する。この標準コースは特定の運転コースに相当するものである。
【００４０】
標準コースはドラム１０内の洗濯物を洗濯するためのものであり、重量判定処理と水位設定処理と給水処理１と洗い処理と排水処理１と給水処理２とすすぎ処理と排水処理２と脱水処理と乾燥処理を有している。重量判定処理はドラムモータ９が静止状態から正方向へ加速するようにドラムモータ９に電力を供給し、電力の供給を開始してから一定時間が経過したときのドラムモータ９の回転速度を速度センサ８６から出力される検出信号に基づいて実測することで行われるものであり、ドラム１０内の洗濯物の重量は回転速度の検出結果に基づいて高重量と中重量と低重量の３段階で判定される。
【００４１】
水位設定処理は給水処理１および給水処理２のそれぞれで水受槽８内に貯留する水道水の水位を設定するものであり、洗濯物の重量の判定結果に応じて設定される。給水処理１は排水弁２４の閉鎖状態で給水弁１８の注水用出口を開放することに基づいて水道の蛇口から注水ケース２１および洗剤ケース２２のそれぞれを通して水受槽８内に水道水を注入するものであり、洗剤ケース２２内の洗剤は給水処理１で水道水と共に水受槽８内に投入され、給水弁１８の注水用出口は圧力センサ８８から出力される圧力信号が水位の設定結果に到達することに基づいて閉鎖される。
【００４２】
洗い処理はドラムモータ９を回転操作するものであり、ドラム１０内の衣類はバッフル１２によって掻揚げられた後に水受槽８内の貯留水中に落下することで叩き洗いされる。排水処理１は排水弁２４を開放し、洗い処理で使用した水受槽８内の水道水を排水管２３から排出するものである。給水処理２は排水弁２４の閉鎖状態で給水弁１８の注水用出口を開放することに基づいて水道の蛇口から水受槽８内に水道水を注入するものであり、給水弁１８の注水用出口は圧力センサ８８から出力される圧力信号が水位の設定結果に到達することに基づいて閉鎖される。すすぎ処理はドラムモータ９を回転操作するものであり、ドラム１０内の洗濯物はバッフル１２によって掻揚げられた後に水受槽８内の貯留水中に落下することで洗剤分が除去される。排水処理２は排水弁２４を開放し、すすぎ処理で使用した水受槽８内の水道水を排水管２３から排出するものである。脱水処理は排水弁２４の開放状態でドラムモータ９を回転操作するものであり、ドラム１０内の洗濯物からは水分が遠心力で放出され、洗濯物から放出された水分は排水管２３を通して排出される。
【００４３】
図４は乾燥処理の処理内容を説明するためのフローチャートであり、ＣＰＵはステップＳ１でフラグＦｆをオフ状態にリセットし、ステップＳ２でフラグＦｒをオフ状態にリセットする。フラグＦｆは前ヒータ６１の運転状態を示すものであり、フラグＦｒは後ヒータ６２の運転状態を示すものであり、ＣＰＵはＳ２でフラグＦｒをオフしたときにはステップＳ３へ移行し、タイマＴ１を「０」にリセットする。このタイマＴ１はＣＰＵが予め決められた一定の時間間隔でタイマ割込み処理を起動し、タイマ割込み処理を起動する毎に予め決められた単位値ずつ加算することで計測するものであり、ＣＰＵはステップＳ３でタイマＴ１をリセットしたときにはステップＳ４へ移行する。
【００４４】
ＣＰＵはステップＳ４へ移行すると、重量判定処理での洗濯物の重量の判定結果に基づいて運転時間を長時間と中時間と短時間のいずれかに段階的に設定する。そして、ステップＳ５でコンプモータ４９を運転開始することに基づいてコンプレッサ４８からコンデンサ４７を通してエバポレータ４６に冷媒を流し、ステップＳ６で乾燥ファンモータ４２を運転開始する。この乾燥処理の開始時にはシャッタソレノイド４０がオフされることに基づいてシャッタ３８が閉鎖されており、ステップＳ６で乾燥ファンモータ４２が運転開始されたときには水受槽８内に後ダクト４４の上端部から温風が注入され、ドラム１０内の未乾燥の洗濯物に温風が吹き付けられる。
【００４５】
ＣＰＵはステップＳ６で乾燥ファンモータ４２を運転開始すると、ステップＳ７でタイマＴ１の計測結果を運転時間の設定結果と比較する。ここでタイマＴ１の計測結果が運転時間の設定結果に到達していないことを判断したときにはステップＳ８へ移行し、温風温度センサ８９から出力される温風温度信号に基づいて後ダクト４４の上端部の温度であるドラム入口温度ｔ１を検出する。そして、ステップＳ９へ移行し、ドラム入口温度ｔ１の検出結果を基準温度１と比較する。この基準温度１はＲＯＭに予め記録されたものであり、ＣＰＵはステップＳ９で「ドラム入口温度ｔ１の検出結果＜基準温度１」であることを判断したときにはステップＳ１０へ移行する。
【００４６】
ＣＰＵはステップＳ１０へ移行すると、フラグＦｆがオフされているか否かを判断する。例えば乾燥処理の開始直後にはステップＳ１でフラグＦｆがオフ状態に初期設定されており、ＣＰＵはステップＳ１０でフラグＦｆがオフされていることを判断してステップＳ１１へ移行する。このステップＳ１１で前ヒータ６１を運転開始し、ステップＳ１２でフラグＦｆをオン状態にセットすることに基づいて前ヒータ６１が運転されていることを記録し、ステップＳ１３でタイマＴ２を「０」にリセットする。このタイマＴ２はＣＰＵがタイマ割込み処理で単位値を加算することに基づいて計測するものであり、前ヒータ６１を運転開始したことを基準とする経過時間を示している。
【００４７】
ＣＰＵはステップＳ１４へ移行すると、フラグＦｒがオフされているか否かを判断する。例えば乾燥処理の開始直後にはステップＳ２でフラグＦｒがオフ状態に初期設定されており、ＣＰＵはステップＳ１４でフラグＦｒがオフされていることを判断してステップＳ１５へ移行し、タイマＴ２の加算結果をＲＯＭに予め記録された運転開始時間（例えば１分）と比較する。この運転開始時間は前ヒータ６１を運転開始してから前ヒータ６１に流れる電流値が定常範囲に収束するまでの所要時間を考慮して設定された待機時間に相当するものであり、前ヒータ６１に流れる突入電流が抑えられるまでの所要時間に相当するものである。
【００４８】
ＣＰＵはステップＳ１５でタイマＴ２の加算結果が運転開始時間に到達したことを判断すると、ステップＳ１６で後ヒータ６２を運転開始する。そして、ステップＳ１７へ移行し、フラグＦｒをオン状態にセットすることに基づいて後ヒータ６２が運転されていることを記録する。即ち、前ヒータ６１および後ヒータ６２のそれぞれは乾燥処理が開始されることに基づいて当該順序で時間差を持って運転開始されるものであり、乾燥処理の開始時には水受槽８の外部の空気が前ヒータ６１のみによって加熱されることに基づいて温風化され、前ヒータ６１が運転開始されてから設定時間が経過したときには水受槽８の外部の空気が前ヒータ６１および後ヒータ６２の双方によって加熱されることに基づいて温風化される。この温風はエバポレータ４６の下流側でメインダクト３２内に吸引され、メインダクト３２に沿って前から後へ流れる。この温風はコンデンサ４７を加熱するためのものであり、コンデンサ４７の凝縮能力は温風によって加熱されることに基づいて高められ、ドラム入口温度ｔ１は時間の経過に応じて上昇する。
【００４９】
ＣＰＵはステップＳ９で「ドラム入口温度ｔ１の検出結果＜基準温度１」ではないことを判断すると、ステップＳ１８でドラム入口温度ｔ１の検出結果を基準温度１および基準温度２（＞基準温度１）のそれぞれと比較する。この基準温度２はＲＯＭに予め記録されたものであり、ＣＰＵはステップＳ１８で「基準値１≦ドラム入口温度ｔ１≦基準値２」であることを判断したときにはステップＳ１９へ移行し、フラグＦｒがオンされているか否かを判断する。ここでフラグＦｒがオンされていることを判断したときにはステップＳ２０へ移行し、後ヒータ６２を運転停止する。そして、ステップＳ２１へ移行し、フラグＦｒをオフ状態にリセットすることに基づいて後ヒータ６２が停止していることを記録する。即ち、ドラム入口温度ｔ１が基準値１未満の温度から基準値１〜基準値２の範囲内の温度に上昇したときには後ヒータ６２の運転停止状態で前ヒータ６１のみを用いて温風が生成される。
【００５０】
ＣＰＵはドラム入口温度ｔ１の検出結果が基準温度２を上回る場合にはステップＳ１８で「基準値１≦ドラム入口温度ｔ１≦基準値２」ではないことを判断し、ステップＳ２２でフラグＦｆがオンされているか否かを判断する。ここでフラグＦｆがオンされていることを判断したときにはステップＳ２３へ移行し、前ヒータ６１を運転停止する。そして、ステップＳ２４へ移行し、フラグＦｆをオフ状態にリセットすることに基づいて前ヒータ６１が停止していることを記録する。即ち、ドラム入口温度ｔ１が基準値１〜基準値２の範囲内の温度から基準値２を上回る温度に上昇したときには前ヒータ６１および後ヒータ６２のそれぞれが運転停止される。
【００５１】
ＣＰＵはステップＳ７でタイマＴ１の計測結果が運転時間の設定結果に到達したことを判断すると、ステップＳ２５でフラグＦｆがオンされているか否かを判断する。ここでフラグＦｆがオンされていることを判断したときにはステップＳ２６へ移行し、前ヒータ６１を運転停止する。そして、ステップＳ２７へ移行し、フラグＦｒがオンされているか否かを判断する。ここでフラグＦｒがオンされていることを判断したときにはステップＳ２８へ移行し、後ヒータ６２を運転停止する。そして、ステップＳ２９でコンプモータ４９を運転停止し、ステップＳ３０で乾燥ファンモータ４２を運転停止することに基づいて乾燥処理を終える。
【００５２】
ＣＰＵは運転休止状態で冷房スイッチ７０が操作されたときには運転コースとして冷房コースを開始する。この運転休止状態とはドラムモータ９と乾燥ファンモータ４２とコンプモータ４９と前ヒータ６１と後ヒータ６２と空調ファンモータ６５のそれぞれが運転停止し、注水用ソレノイド１９と散水用ソレノイド２０とシャッタソレノイド４０のそれぞれがオフされた状態を称するものであり、ＣＰＵは冷房コースを開始したときにはシャッタソレノイド４０をオンすることに基づいてシャッタ３８を閉鎖状態から開放状態に回動操作し、前ダクト３５の接続口３６を開放する。そして、コンプモータ４９および空調ファンモータ６５のそれぞれを運転開始する。この状態では水受槽８の外部の空気がメインダクト３２内に吸引され、エバポレータ４６に接触することに基づいて冷風化された後にファンケーシング６３から放出口６７を通して部屋内に放出される。
【００５３】
ＣＰＵは冷房コースの実行中にスタート／停止スイッチ７３が操作されたことを判断すると、冷房停止処理を起動する。この冷房停止処理でシャッタソレノイド４０をオフすることに基づいてシャッタ３８を開放状態から閉鎖状態に回動操作し、前ダクト３５の接続口３６を閉鎖する。そして、コンプモータ４９および空調ファンモータ６５のそれぞれを運転停止し、冷風の放出動作を終える。
【００５４】
図５および図６のそれぞれは部屋内を暖房する暖房コースの処理内容を説明するためのフローチャートである。この暖房コースは運転休止状態で暖房スイッチ７２が操作されることに基づいて開始されるものであり、ＣＰＵは暖房コースを開始したときには図５のステップＳ３１でシャッタソレノイド４０をオンすることに基づいてシャッタ３８を閉鎖状態から開放状態に回動操作し、前ダクト３５の接続口３６を開放する。そして、ステップＳ３２で室温センサ９０から出力される室温信号に基づいて室温ｔ２を検出し、ステップＳ３３で室温ｔ２の検出結果をＲＯＭに予め記録された基準室温１（例えば１８℃）と比較する。ここで室温ｔ２の検出結果が基準室温１より低いことを判断したときにはステップＳ３４へ移行し、後ヒータ６２を運転開始する。
【００５５】
ＣＰＵはステップＳ３４で後ヒータ６２を運転開始すると、ステップＳ３５で空調ファンモータ６５を運転開始する。この空調ファンモータ６５の運転はＲＯＭに予め記録された最高速度４（例えば３３００ｒｐｍ）で行われるものであり、ＣＰＵはステップＳ３５で空調ファンモータ６５を運転開始したときにはステップＳ３６へ移行し、タイマＴ３を「０」にリセットする。このタイマＴ３はＣＰＵがタイマ割込み処理を起動する毎に単位値ずつ加算することで計測するものであり、ＣＰＵはステップＳ３６でタイマＴ３をリセットしたときにはステップＳ３７へ移行し、タイマＴ３の加算結果を運転開始時間（例えば１分）と比較する。この運転開始時間は後ヒータ６２を運転開始してから後ヒータ６２に流れる電流値が定常範囲に収束するまでの所要時間を考慮して設定された待機時間に相当するものであり、後ヒータ６２に流れる突入電流が抑えられるまでの所要時間に相当する。
【００５６】
ＣＰＵはステップＳ３７でタイマＴ３の加算結果が運転開始時間に到達したことを判断すると、ステップＳ３８で前ヒータ６１を運転開始する。即ち、後ヒータ６２および前ヒータ６１のそれぞれは暖房コースが開始されることに基づいて当該順序で時間差を持って運転開始されるものであり、暖房コースの開始時には水受槽８の外部の空気が後ヒータ６２のみによって加熱されることに基づいて温風化され、後ヒータ６２の運転開始から待機時間が経過したときには水受槽８の外部の空気が前ヒータ６１および後ヒータ６２の双方によって加熱されることに基づいて温風化される。この温風はメインダクト３２に沿って後から前へ流れた後に前ダクト３５の接続口３６からファンケーシング６３およびルーバー６６を順に通して外箱１の放出口６７から放出され、室温ｔ２が時間の経過に応じて上昇する。
【００５７】
ＣＰＵはステップＳ３８で前ヒータ６１を運転開始すると、ステップＳ３９で室温センサ９０から出力される室温信号に基づいて室温ｔ２を検出し、ステップＳ４０で室温ｔ２の検出結果をＲＯＭに予め記録された基準室温２（例えば２０℃）と比較する。ここで「室温ｔ２の検出結果≧基準室温２」を判断したときにはステップＳ４１へ移行し、前ヒータ６１を運転停止してステップＳ４４へ移行する。即ち、運転開始時の初期の室温ｔ２が基準室温１未満の低温度から基準室温２以上に上昇した状態では後ヒータ６２のみを使用して温風が生成される。
【００５８】
ＣＰＵはステップＳ３３で室温ｔ２の検出結果が基準室温１以上であることを判断すると、ステップＳ４２で後ヒータ６２を運転開始する。そして、ステップＳ４３で空調ファンモータ６５を運転開始し、ステップＳ４４へ移行する。この空調ファンモータ６５の運転はステップＳ３５と同一の最高速度４で行われるものであり、運転開始時の初期の室温ｔ２が基準室温１以上の高温度であるときには空調ファンモータ６５を最高速度４で運転しながら後ヒータ６２のみを使用して温風が生成される。
【００５９】
ＣＰＵはステップＳ４４へ移行すると、室温センサ９０から出力される室温信号に基づいて室温ｔ２を検出する。そして、ステップＳ４５で室温ｔ２の検出結果をＲＯＭに予め記録された基準室温４（例えば２２℃）と比較し、ステップＳ４６で室温ｔ２の検出結果を基準室温１（例えば１８℃）と比較する。このステップＳ４６で「室温ｔ２の検出結果≧基準室温１」ではないことを判断したときにはステップＳ４７へ移行し、前ヒータ６１を運転開始してステップＳ３９に復帰する。即ち、室温ｔ２の検出結果が基準室温２以上の値から基準室温１未満の値に低下したときには空調ファンモータ６５を最高速度４で運転しながら前ヒータ６１および後ヒータ６２の双方を使用して温風を生成する状態に復帰する。
【００６０】
ＣＰＵはステップＳ４５で「室温ｔ２の検出結果≧基準室温４」であることを判断すると、ステップＳ４８で空調ファンモータ６５の回転速度を最高速度４から高速度３（例えば３０００ｒｐｍ）に減速する。そして、ステップＳ４９で室温センサ９０から出力される室温信号に基づいて室温ｔ２を検出し、ステップＳ５０で室温ｔ２の検出結果をＲＯＭに予め記録された基準室温６（例えば２４℃）と比較し、ステップＳ５１で室温ｔ２の検出結果をＲＯＭに予め記録された基準室温３（例えば２１℃）と比較する。このステップＳ５１で「室温ｔ２の検出結果≧基準室温３」ではないことを判断したときにはステップＳ５２へ移行し、空調ファンモータ６５の回転速度を高速度３から最高速度４に加速してステップＳ４４に復帰する。即ち、室温ｔ２の検出結果が基準室温４以上の値から基準室温３未満の値に低下したときには空調ファンモータ６５を最高速度４で運転しながら後ヒータ６２のみを使用して温風を生成する状態に復帰する。
【００６１】
ＣＰＵはステップＳ５０で「室温ｔ２の検出結果≧基準室温６」であることを判断すると、図６のステップＳ５３で空調ファンモータ６５の回転速度を高速度３から中速度２（例えば２７００ｒｐｍ）に減速する。そして、ステップＳ５４で室温センサ９０から出力される室温信号に基づいて室温ｔ２を検出し、ステップＳ５５で室温ｔ２の検出結果をＲＯＭに予め記録された基準室温８（例えば２６℃）と比較し、ステップＳ５６で室温ｔ２の検出結果をＲＯＭに予め記録された基準室温５（例えば２３℃）と比較する。このステップＳ５６で「室温ｔ２の検出結果≧基準室温５」ではないことを判断したときにはステップＳ５７へ移行し、空調ファンモータ６５の回転速度を中速度２から高速度３に加速して図５のステップＳ４９に復帰する。即ち、室温ｔ２の検出結果が基準室温６以上の値から基準室温５未満の値に低下したときには空調ファンモータ６５を高速度３で運転しながら後ヒータ６２のみを使用して温風を生成する状態に復帰する。
【００６２】
ＣＰＵは図６のステップＳ５５で「室温ｔ２の検出結果≧基準室温８」であることを判断すると、ステップＳ５８で空調ファンモータ６５の回転速度を中速度２から低速度１（例えば２４００ｒｐｍ）に減速する。そして、ステップＳ５９で室温センサ９０から出力される室温信号に基づいて室温ｔ２を検出し、ステップＳ６０で室温ｔ２の検出結果をＲＯＭに予め記録された基準室温１０（例えば２８℃）と比較し、ステップＳ６１で室温ｔ２の検出結果をＲＯＭに予め記録された基準室温７（例えば２５℃）と比較する。このステップＳ６１で「室温ｔ２の検出結果≧基準室温７」ではないことを判断したときにはステップＳ６２へ移行し、空調ファンモータ６５の回転速度を低速度１から中速度２に加速してステップＳ５４に復帰する。即ち、室温ｔ２の検出結果が基準室温８以上の値から基準室温７未満の値に低下したときには空調ファンモータ６５を中速度２で運転しながら後ヒータ６２のみを使用して温風を生成する状態に復帰する。
【００６３】
ＣＰＵはステップＳ６０で「室温ｔ２の検出結果≧基準室温１０」であることを判断すると、ステップＳ６３で後ヒータ６２を運転停止する。そして、ステップＳ６４で室温センサ９０から出力される室温信号に基づいて室温ｔ２を検出し、ステップＳ６５で室温ｔ２の検出結果をＲＯＭに予め記録された基準室温９（例えば２７℃）と比較する。このステップＳ６５で「室温ｔ２の検出結果≧基準室温９」ではないことを判断したときにはステップＳ６６へ移行し、後ヒータ６２を運転開始してステップＳ５９に復帰する。即ち、室温ｔ２の検出結果が基準室温１０以上の値から基準室温９未満の値に低下したときには空調ファンモータ６５を低速度１で運転しながら後ヒータ６２のみを使用して温風を生成する状態に復帰する。
【００６４】
ＣＰＵは暖房コースの実行中にスタート／停止スイッチ７３が操作されたことを判断すると、暖房停止処理を起動する。この暖房停止処理でシャッタソレノイド４０をオフすることに基づいてシャッタ３８を開放状態から閉鎖状態に回動操作し、前ヒータ６１と後ヒータ６２と空調ファンモータ６５のそれぞれを運転停止することに基づいて温風の放出動作を終える。
【００６５】
上記実施例１によれば次の効果を奏する。
暖房コースが設定されたときには第１の後ヒータ運転処理と待機処理と両ヒータ運転処理と比較処理と第２の後ヒータ運転処理のそれぞれを行った。第１の後ヒータ運転処理はシャッタ３８の開放状態で後ヒータ６２を単独運転する処理であり、図５のステップＳ３４〜ステップＳ３６は第１の後ヒータ運転処理に相当する。待機処理は第１の後ヒータ運転処理で後ヒータ６２を運転開始してから運転開始時間が経過するまで待機する処理であり、図５のステップＳ３７は待機処理に相当する。この運転開始時間は後ヒータ６２に流れる電流値が安定するように予め決められたものであり、第１の後ヒータ運転処理が開始されてから待機処理が終了するまでの期間内は前ヒータ６１および後ヒータ６２のそれぞれに突入電流が同時に流れることに基づいて過電流が発生することが防止される。
【００６６】
両ヒータ運転処理はシャッタ３８の開放状態で前ヒータ６１および後ヒータ６２のそれぞれを運転する処理であり、図５のステップＳ３８は両ヒータ運転処理に相当する。これら両ヒータ運転処理および第１の後ヒータ運転処理のそれぞれでは空調ファンモータ６５が最高速度４で運転されており、温風がヒータ収納室５８の吸込口５９から大きく弧を描きながらメインダクト３２の内部に吸引される。このため、温風がヒータ収納室５８の前方でユニットカバー３１に接触し難くなるので、ユニットカバー３１が温風によって局部的に加熱されることが抑えられる。
【００６７】
比較処理は室温センサ９０から出力される室温信号を基準室温２と比較する処理であり、図５のステップＳ４０は比較処理に相当する。この比較処理で室温信号の検出結果が基準室温２に到達したときには第２の後ヒータ運転処理を開始した。この第２の後ヒータ運転処理はシャッタ３８の開放状態で後ヒータ６２を単独運転するものであり、ステップＳ４１は第２の後ヒータ運転処理に相当する。この第２の後ヒータ運転処理では室温ｔ２が高くなることに応じて空調ファンモータ６５の回転速度が遅くなるように空調ファンモータ６５の回転速度を制御した。この第２の後ヒータ運転処理では空調ファンモータ６５が最高速度４に比べて遅い高速度３〜低速度１のいずれかで運転され、温風がヒータ収納室５８の吸込口５９から小さな弧を描きながらメインダクト３２の内部に吸引されることに基づいてヒータ収納室５８の前方でユニットカバー３１に接触する。しかしながら、前ヒータ６１および後ヒータ６２のうち温風の接触部分に近い前ヒータ６１が運転停止されているので、前ヒータ６１および後ヒータ６２のうち温風の接触部分に遠い後ヒータ６２のみから温風の接触部分に熱が伝達される。このため、ユニットカバー３１のうち温風の接触部分に伝達される熱量が少なくなるので、ユニットカバー３１が局部的に異常昇温することが防止される。
【００６８】
図７は空調ファンモータ６５を回転速度２１００ｒｐｍおよび回転速度３０００ｒｐｍのそれぞれで運転しながら前ヒータ６１または後ヒータ６２をオンしたときのユニットカバー３１の温度変化を実測したものである。この図７の実線（１）〜実線（３）のそれぞれは、図２に示すように、ヒータ収納室５８の前方の温度であり、図７の実線（４）〜実線（５）のそれぞれは、図２に示すように、ヒータ収納室５８の後方の温度であり、ヒータ収納室５８の前方の温度は後ヒータ６２のオン状態では前ヒータ６１のオン状態に比べて低くなり、ヒータ収納室５８の後方の温度は前ヒータ６１のオン状態では後ヒータ６２のオン状態に比べて低くなる。
【００６９】
標準コースが設定されたときには乾燥処理で第１の前ヒータ運転処理と待機処理と両ヒータ運転処理と比較処理と第２の前ヒータ運転処理を行った。第１の前ヒータ運転処理は前ヒータ６１を単独運転する処理であり、図４のステップＳ１１は第１の前ヒータ運転処理に相当する。待機処理は第１の前ヒータ運転処理で前ヒータ６１を運転開始してから運転開始時間が経過するまで待機する処理であり、図４のステップＳ１５は待機処理に相当する。この運転開始時間は前ヒータ６１に流れる電流値が安定するように予め決められたものであり、第１の前ヒータ運転処理が開始されてから待機処理が終了するまでの期間内は前ヒータ６１および後ヒータ６２のそれぞれに突入電流が同時に流れることに基づいて過電流が発生することが防止される。
【００７０】
両ヒータ運転処理は前ヒータ６１および後ヒータ６２のそれぞれを運転する処理であり、図４のステップＳ１６は両ヒータ運転処理に相当する。比較処理は温風温度センサ８９から出力される温風温度信号を基準温度１と比較する処理であり、図４のステップＳ９は比較処理に相当する。この比較処理で温風温度センサ８９から出力される温風温度信号が基準温度１に到達したことを判断したときには第２の前ヒータ運転処理を開始した。この第２の前ヒータ運転処理は後ヒータ６２の運転停止状態で前ヒータ６１を運転する処理であり、図４のステップＳ２０は第２の前ヒータ運転処理に相当する。この第２の前ヒータ運転処理では温風がヒータ収納室５８の吸込口５９から小さな弧を描きながらメインダクト３２の内部に吸引されることに基づいてヒータ収納室５８の後方でユニットカバー３１に接触する。しかしながら、前ヒータ６１および後ヒータ６２のうち温風の接触部分に近い後ヒータ６２が運転停止されているので、前ヒータ６１および後ヒータ６２のうち温風の接触部分に遠い前ヒータ６１のみから温風の接触部分に熱が伝達される。このため、ユニットカバー３１のうち温風の接触部分に伝達される熱量が少なくなるので、ユニットカバー３１が局部的に異常昇温することが防止される。
【００７１】
上記実施例１においては、制御回路７４が図４の乾燥処理だけを行う乾燥コースを運転コーススイッチ７０の操作内容に応じて設定する構成としても良い。
上記実施例１においては、制御回路７４が運転コーススイッチ７０の操作内容に応じて暖房コースを設定する構成としても良い。
【図面の簡単な説明】
【００７２】
【図１】本発明の実施例１を示す図（洗濯機の内部構成を示す断面図）
【図２】エバポレータとコンデンサと前ヒータと後ヒータの相対的な配置関係を示す図
【図３】電気的構成を示すブロック図
【図４】制御回路の処理内容を示すフローチャート（乾燥処理）
【図５】制御回路の処理内容を示すフローチャート（暖房コース）
【図６】制御回路の処理内容を示すフローチャート（暖房コース）
【図７】ユニットカバーの昇温状態を実験的に示す図
【符号の説明】
【００７３】
１は外箱、４は前板、８は水受槽、１０はドラム（洗濯槽）、３２はメインダクト、３３は出口、３４は入口、３５は前ダクト、３６は接続口、３８はシャッタ、４０はシャッタソレノイド（駆動源）、４４は後ダクト、４６はエバポレータ（蒸発器）、４７はコンデンサ（凝縮器）、４８はコンプレッサ（圧縮機）、５８はヒータ収納室、５９は吸込口、６１は前ヒータ、６２は後ヒータ、６７は放出口、７４は制御回路、８９は温風温度センサ、９０は室温センサを示している。
【図１】
2009034189.tif 000003
【図２】
2009034189.tif 000004
【図３】
2009034189.tif 000005
【図４】
2009034189.tif 000006
【図５】
2009034189.tif 000007
【図６】
2009034189.tif 000008
【図７】
2009034189.tif 000009